(57)【要約】【課題】ユーザが通話中に通話した内容の一部をすぐに確認することが可能な電話システムおよび通話記録再生方法を提供する。【解決手段】ボタン電話機２０は、継続中の通話の内容を表す音声データの再生開始位置を受け付けられると、その再生開始位置をボタン電話装置１０に提供する。ボタン電話装置１０は、その再生開始位置以降の音声データをボタン電話機２０に提供して、ボタン電話機２０から、その音声データが表す通話内容を出力する。【選択図】図１
2008011362.tif 000002
【特許請求の範囲】
【請求項１】
電話機と、前記電話機での通話内容を表す音声データを記録し該記録された音声データを前記電話機に提供する記録再生装置と、を含む電話システムであって、
前記電話機は、
前記電話機で継続中の通話の内容を表す音声データの再生開始位置を受け付ける再生位置受付部と、
前記再生位置受付部にて受け付けられた再生開始位置を、前記記録再生装置に提供する提供部と、
前記記録再生装置から提供された音声データが表す通話内容を出力する出力部と、を含み、
前記記録再生装置は、
記憶部と、
前記電話機で継続中の通話の内容を表す音声データを前記記憶部に記録する記録部と、
前記記憶部に記録された音声データの中から、前記提供部より提供された前記再生開始位置の音声データ以降に記録された音声データを読み取る読取部と、
前記読取部にて読み取られた音声データを前記電話機に提供する処理部と、を含む、電話システム。
【請求項２】
請求項１に記載の電話システムにおいて、
前記電話機は、表示部と、前記電話機で継続中の通話の内容を再生する旨の再生指示を受け付ける再生指示受付部と、をさらに含み、
前記提供部は、さらに、前記再生指示受付部にて受け付けられた再生指示を、前記記録再生装置に提供し、
前記処理部は、前記提供部から前記再生指示を受け付けると、前記再生開始位置を設定するための設定用画面を表す設定用画面データを前記電話機に提供して該設定用画面を前記表示部に表示し、
前記再生位置受付部は、前記設定用画面を用いて設定された前記再生開始位置を受け付ける、電話システム。
【請求項３】
請求項２に記載の電話システムにおいて、
前記設定用画面は、前記電話機で継続中の通話の継続期間を表すタイムバーと、前記再生開始位置に対応する前記タイムバーでの位置を示す指標と、を含み、
前記再生位置受付部は、前記指標の位置を移動させる移動指示をさらに受け付け、該移動指示にて移動された該指標が示す前記タイムバーでの位置を、前記再生開始位置として受け付ける、電話システム。
【請求項４】
請求項１ないし３のいずれか１項に記載の電話システムにおいて、
前記処理部は、前記電話機で継続中の通話の内容を表す音声データを前記出力部に提供し、前記読取部が前記記憶部から前記音声データを読み出すと、前記電話機で継続中の通話の内容を表す音声データに替えて、前記読取部にて読み取られた音声データを、前記電話機に提供する、電話システム。
【請求項５】
請求項１ないし３のいずれか１項に記載の電話システムにおいて、
前記電話機は、前記出力部が前記通話内容を出力している間も、前記電話機で継続中の通話の内容を出力する通話内容出力部を、さらに含む、電話システム。
【請求項６】
電話機での通話内容を表す音声データを記録し該記録された音声データを前記電話機に提供する記録再生装置であって、
記憶部と、
前記電話機で継続中の通話の内容を表す音声データを前記記憶部に記録する記録部と、
前記記憶部に記録された音声データの中から、前記電話機から提供された前記音声データの再生開始位置に対応する音声データ以降に記録された音声データを読み取る読取部と、
前記読取部にて読み取られた音声データを前記電話機に提供する処理部と、を含む、記録再生装置。
【請求項７】
請求項６に記載の記録再生装置において、
前記処理部は、前記電話機から、前記電話機で継続中の通話の内容を再生する旨の再生指示を受け付けると、前記再生開始位置を設定するための設定用画面を表す設定用画面データを前記電話機に提供して該設定用画面を前記電話機に表示する、記録再生装置。
【請求項８】
請求項７に記載の記録再生装置において、
前記設定用画面は、前記電話機で継続中の通話の継続期間を表すタイムバーと、前記再生開始位置に対応する前記タイムバーでの位置を示す移動可能な指標と、を含む、記録再生装置。
【請求項９】
電話機と、前記電話機での通話内容を表す音声データを記録し該記録された音声データを前記電話機に提供し、記憶部を含む記録再生装置と、を含む電話システムが行う通話記録再生方法であって、
前記電話機が、前記電話機で継続中の通話の内容を表す音声データの再生開始位置を受け付ける再生位置受付ステップと、
前記電話機が、前記再生開始位置を、前記記録再生装置に提供する提供ステップと、
前記記録再生装置が、前記電話機で継続中の通話の内容を表す音声データを前記記憶部に記録する記録ステップと、
前記記録再生装置が、前記記憶部に記録された音声データの中から、前記再生開始位置の音声データ以降に記録された音声データを読み取る読取ステップと、
前記記録再生装置が、前記読み取られた音声データを前記電話機に提供する処理ステップと、
前記電話機が、前記記録再生装置から提供された音声データが表す通話内容を出力する出力ステップと、を含む通話記録再生方法。
【請求項１０】
請求項９に記載の通話記録再生方法において、
前記電話機が、前記電話機で継続中の通話の内容を再生する旨の再生指示を受け付ける再生指示受付ステップと、
前記電話機が、前記再生指示を、前記記録再生装置に提供する再生指示提供ステップと、
前記記録再生装置が、前記再生指示を受け付けると、前記再生開始位置を設定するための設定用画面を表す設定用画面データを前記電話機に提供して該設定用画面を前記電話機に表示する表示ステップと、をさらに含み、
前記再生位置受付ステップでは、前記電話機が、前記設定用画面を用いて設定された前記再生開始位置を受け付ける、通話記録再生方法。
【請求項１１】
請求項１０に記載の通話記録再生方法において、
前記設定用画面は、前記電話機で継続中の通話の継続期間を表すタイムバーと、前記再生開始位置に対応する前記タイムバーでの位置を示す指標と、を含み、
前記電話機が、前記指標の位置を移動させる移動指示を受け付ける移動指示受付ステップと、
前記電話機が、前記移動指示に基づいて前記指標の位置を移動する移動ステップと、をさらに含み、
前記再生位置受付ステップでは、前記電話機が、前記移動指示にて移動された前記指標が示す前記タイムバーでの位置を、前記再生開始位置として受け付ける、通話記録再生方法。
【請求項１２】
請求項９ないし１１のいずれか１項に記載の通話記録再生方法において、
前記記録再生装置が、前記電話機で継続中の通話の内容を表す音声データを前記電話機に提供する音声データ提供ステップと、
前記記録再生装置が、前記記憶部から前記音声データを読み取ると、前記電話機で継続中の通話の内容を表す音声データに替えて、前記読取部にて読み取られた音声データを、前記電話機に提供する切替ステップと、をさらに含む、通話記録再生方法。
【請求項１３】
請求項９ないし１１のいずれか１項に記載の通話記録再生方法において、
前記電話機は、前記記憶部から読み出された音声データが表す通話内容を出力している間も、前記電話機で継続中の通話の内容を出力する通話内容出力ステップを、さらに含む、通話記録再生方法。
【請求項１４】
電話機での通話内容を表す音声データを記録し該記録された音声データを前記電話機に提供し、また、記憶部を含む、記録再生装置が行う通話記録再生方法であって、
前記電話機で継続中の通話の内容を表す音声データを前記記憶部に記録する記録ステップと、
前記記憶部に記録された音声データの中から、前記電話機から提供された前記音声データの再生開始位置に対応する音声データ以降に記録された音声データを読み取る読取ステップと、
前記読み取られた音声データを前記電話機に提供する処理ステップと、を含む、通話記録再生方法。
【請求項１５】
請求項１４に記載の通話記録再生方法において、
前記電話機から、前記電話機で継続中の通話の内容を再生する旨の再生指示を受け付けると、前記再生開始位置を設定するための設定用画面を表す設定用画面データを前記電話機に提供して該設定用画面を前記電話機に表示する表示ステップをさらに含む、通話記録再生方法。
【請求項１６】
請求項１５に記載の通話記録再生方法において、
前記設定用画面は、前記電話機で継続中の通話の継続期間を表すタイムバーと、前記再生開始位置に対応する前記タイムバーでの位置を示す移動可能な指標と、を含む、通話記録再生方法。
【発明の詳細な説明】
【技術分野】
【０００１】
本発明は、電話システム、記録再生装置および通話記録再生方法に関し、特には、電話機での通話内容を記録し再生する電話システム、記録再生装置および通話記録再生方法に関する。
【背景技術】
【０００２】
従来、通話内容を記録し再生する電話システムが知られている。
【０００３】
例えば、特許文献１（特開平９−１１６９４０号公報）には、録音された通話メッセージを再生する電話システムが記載されている。この電話システムでは、録音された通話メッセージが、その先頭から再生される。
【０００４】
また、特許文献２（特開２００４−２９７３５２号公報）には、録音中の通話内容を再生する旨の再生指示を受け付けると、その通話内容を、その先頭から再生する通話記録再生装置が記載されている。
【特許文献１】特開平９−１１６９４０号公報
【特許文献２】特開２００４−２９７３５２号公報
【発明の開示】
【発明が解決しようとする課題】
【０００５】
従来、電話会議などの通話中に聞き逃した通話内容を、その通話中にすぐに確認したいという要求がある。
【０００６】
特許文献１に記載の電話システム、および、特許文献２に記載の通話記録再生装置では、録音された通話に参加していない第三者が、その通話を確認することは可能である。
【０００７】
しかしながら、どちらも、録音内容を先頭から再生するものであり、間近の録音内容を即座に再生するには不向きである。このため、どちらも、電話会議通話中などに聞き逃した通話内容を、その通話中にすぐに確認したいという要求に、十分に応えることができない。
【０００８】
本発明の目的は、ユーザが、通話中に、通話した内容の一部をすぐに確認することが可能な電話システム、記録再生装置および通話記録再生方法を提供することである。
【課題を解決するための手段】
【０００９】
上記目的を達成するために、本発明の電話システムは、電話機と、前記電話機での通話内容を表す音声データを記録し該記録された音声データを前記電話機に提供する記録再生装置と、を含む電話システムであって、前記電話機は、前記電話機で継続中の通話の内容を表す音声データの再生開始位置を受け付ける再生位置受付部と、前記再生位置受付部にて受け付けられた再生開始位置を、前記記録再生装置に提供する提供部と、前記記録再生装置から提供された音声データが表す通話内容を出力する出力部と、を含み、前記記録再生装置は、記憶部と、前記電話機で継続中の通話の内容を表す音声データを前記記憶部に記録する記録部と、前記記憶部に記録された音声データの中から、前記提供部から提供された前記再生開始位置の音声データ以降に記録された音声データを読み取る読取部と、前記読取部にて読み取られた音声データを前記電話機に提供する処理部と、を含む。
【００１０】
また、本発明の通話記録再生方法は、電話機と、前記電話機での通話内容を表す音声データを記録し該記録された音声データを前記電話機に提供し、記憶部を含む記録再生装置と、を含む電話システムが行う通話記録再生方法であって、前記電話機が、前記電話機で継続中の通話の内容を表す音声データの再生開始位置を受け付ける再生位置受付ステップと、前記電話機が、前記再生開始位置を、前記記録再生装置に提供する提供ステップと、前記記録再生装置が、前記電話機で継続中の通話の内容を表す音声データを前記記憶部に記録する記録ステップと、前記記録再生装置が、前記記憶部に記録された音声データの中から、前記再生開始位置の音声データ以降に記録された音声データを読み取る読取ステップと、前記記録再生装置が、前記読み取られた音声データを前記電話機に提供する処理ステップと、前記電話機が、前記記録再生装置から提供された音声データが表す通話内容を出力する出力ステップと、を含む。
【００１１】
また、本発明の記録再生装置は、電話機での通話内容を表す音声データを記録し該記録された音声データを前記電話機に提供する記録再生装置であって、記憶部と、前記電話機で継続中の通話の内容を表す音声データを前記記憶部に記録する記録部と、前記記憶部に記録された音声データの中から、前記電話機から提供された前記音声データの再生開始位置に対応する音声データ以降に記録された音声データを読み取る読取部と、前記読取部にて読み取られた音声データを前記電話機に提供する処理部と、を含む。
【００１２】
また、本発明の通話記録再生方法は、電話機での通話内容を表す音声データを記録し該記録された音声データを前記電話機に提供し、また、記憶部を含む、記録再生装置が行う通話記録再生方法であって、前記電話機で継続中の通話の内容を表す音声データを前記記憶部に記録する記録ステップと、前記記憶部に記録された音声データの中から、前記電話機から提供された前記音声データの再生開始位置の音声データ以降に記録された音声データを読み取る読取ステップと、前記読み取られた音声データを前記電話機に提供する処理ステップと、を含む。
【００１３】
上記発明によれば、記録再生装置は、電話機から、電話機で継続中の通話の内容を表す音声データの再生開始位置を受け付けると、その再生開始位置以降の音声データを電話機に提供し、電話機は、その音声データが表す通話内容を出力する。
【００１４】
このため、ユーザは、通話中に再生開始位置を電話機に入力して、その再生開始位置を電話機から再生開始位置に提供すれば、その再生開始位置以降の通話内容を確認することが可能になる。よって、ユーザは、通話中に聞き逃した内容（通話した内容の一部）を、通話を切断することなく、通話中にすぐに確認することが可能になる。
【００１５】
なお、前記電話機は、表示部と、前記電話機で継続中の通話の内容を再生する旨の再生指示を受け付ける再生指示受付部と、をさらに含み、前記提供部は、さらに、前記再生指示受付部にて受け付けられた再生指示を、前記記録再生装置に提供し、前記処理部は、前記提供部から前記再生指示を受け付けると、前記再生開始位置を設定するための設定用画面を表す設定用画面データを前記電話機に提供して該設定用画面を前記表示部に表示し、前記再生位置受付部は、前記設定用画面を用いて設定された前記再生開始位置を受け付けることが望ましい。
【００１６】
上記発明によれば、再生開始位置を、設定用画面を用いて設定することが可能となる。
【００１７】
また、前記設定用画面は、前記電話機で継続中の通話の継続期間を表すタイムバーと、前記再生開始位置に対応する前記タイムバーでの位置を示す指標と、を含み、前記再生位置受付部は、前記指標の位置を移動させる移動指示をさらに受け付け、該移動指示にて移動された該指標が示す前記タイムバーでの位置を、前記再生開始位置として受け付けることが望ましい。
【００１８】
上記発明によれば、ユーザは、タイムバーに対して指標を動かすことで、再生開始位置を設定できるため、確認したい通話内容をスムーズに探し当てることが可能になる。
【００１９】
また、前記処理部は、前記電話機で継続中の通話の内容を表す音声データを前記出力部に提供し、前記読取部が前記記憶部から前記音声データを読み取ると、前記電話機で継続中の通話の内容を表す音声データに替えて、前記読取部にて読み取られた音声データを、前記電話機に提供することが望ましい。
【００２０】
上記発明によれば、継続中の通話の内容に替えて、確認したい通話内容が出力されるため、ユーザは、確認したい通話内容を聞き取りやすくなる。
【００２１】
また、前記電話機は、前記出力部が前記通話内容を出力している間も、前記電話機で継続中の通話の内容を出力する通話内容出力部を、さらに含むことが望ましい。
【００２２】
上記発明によれば、継続中の通話内容と、再生中の通話内容の両方が出力されるため、ユーザは、継続中の通話を中断することなく、再生された通話内容を確認することが可能になる。
【発明の効果】
【００２３】
本発明によれば、ユーザは、通話中に、通話した内容の一部をすぐに確認することが可能になる。
【発明を実施するための最良の形態】
【００２４】
以下、本発明の実施例について図面を参照して詳細に説明する。
【００２５】
図１は、本発明の一実施例の電話システムを示したブロック図である。図１において、電話システムは、ボタン電話装置１０と、ボタン電話機２０と、を含む。
【００２６】
ボタン電話装置１０は、記録再生装置の一例であり、ボタン電話機２０での通話内容を表す音声データを記録し、また、ボタン電話機２０からの再生指示および再生開始位置に応じて、その記録された音声データの一部をボタン電話機２０に提供する。
【００２７】
なお、再生指示は、ボタン電話機２０で継続中の通話の内容を再生する旨を表し、再生開始位置は、ボタン電話装置１０に記録された音声データの再生開始位置を示す。
【００２８】
図２は、ボタン電話機２０の一例を示したブロック図である。なお、図２において、図１に示したものと同一のものには同一符号を付してある。
【００２９】
図２において、ボタン電話機２０は、ＬＣＤ２０ａ、録音キー２０ｂ、再生キー２０ｃ、巻き戻しキー２０ｄ、早送りキー２０ｅ、制御部２０ｆ、ハンドセット２０ｇ、および、スピーカ２０ｈを備える。
【００３０】
ＬＣＤ２０ａは、表示部の一例である。録音キー２０ｂは、録音指示を受け付ける。
【００３１】
再生キー２０ｃは、再生指示受付部の一例であり、再生指示を受け付ける。具体的には、再生キー２０ｃは、押下されることによって、再生指示を受け付ける。
【００３２】
巻き戻しキー２０ｄは、再生指示受付部および再生位置受付部の一例であり、再生指示および再生開始位置を受け付ける。具体的には、巻き戻しキー２０ｄは、押下されることによって、再生指示および再生開始位置を受け付ける。
【００３３】
早送りキー２０ｅは、再生位置受付部の一例であり、再生開始位置を受け付ける。具体的には、早送りキー２０ｅは、押下されることによって、再生開始位置を受け付ける。
【００３４】
制御部２０ｆは、提供部の一例であり、録音キー２０ｂ、再生キー２０ｃ、巻き戻しキー２０ｄおよび早送りキー２０ｅのそれぞれが受け付けた各情報を、ボタン電話装置１０に提供する。なお、制御部２０ｆは、ボタン電話機２０に内蔵される。
【００３５】
ハンドセット２０ｇは、出力部および音声内容出力部の一例であり、いわゆる受話器である。スピーカ２０ｈは、出力部の一例である。
【００３６】
図１に戻って、ボタン電話装置１０は、ボイスメール録音部１１、ボイスメール再生部１２、保存用メモリ１３、および、ボタン電話装置メイン処理部１４を備える。
【００３７】
ボイスメール録音部１１は、記録部の一例であり、保存用メモリ１３での書き込み領域（アドレス）を示す書き込み用ポインタを有し、その書き込み用ポインタにて示された保存用メモリ１３の領域に、ボタン電話機２０で継続中の通話の内容を表す音声データを記録する。
【００３８】
具体的には、ボイスメール録音部１１は、継続中の通話の内容を表す音声データを記録するとき、随時、書き込み用ポインタを更新し、その更新された書き込み用ポインタで示された各領域に、その領域に記録可能な量の音声データを分割して記録していく。
【００３９】
ボイスメール再生部１２は、読取部の一例であり、保存用メモリ１３での読み取り領域（アドレス）を示す読み取り用ポインタを有する。ボイスメール再生部１２は、ボタン電話機２０から再生開始位置を受け付けるまでは、読み取りポインタが示す領域が、書き込み用ポインタが示す領域と同じになるように更新する。
【００４０】
また、ボイスメール再生部１２は、ボタン電話機２０から再生開始位置を受け付けると、読み取りポインタが示す領域を、その再生開始位置に応じた領域に更新し、その後、再生要求を受け付けると、その読み取り用ポインタにて示された保存用メモリ１３の領域から分割された音声データを読み出す。
【００４１】
ボイスメール再生部１２は、分割された音声データを読み出すと、読み取り用ポインタが示す領域を、その分割された音声データに続く分割された音声データが記録された領域に更新する。その後、ボイスメール再生部１２は、その更新された読み取り用ポインタにて示された保存用メモリ１３の領域から分割された音声データを読み出す。ボイスメール再生部１２は、以下、上記と同様の動作を繰り返す。
【００４２】
保存用メモリ１３は、記憶部の一例である。
【００４３】
ボタン電話装置メイン処理部１４は、処理部の一例であり、種々の処理を実行する。
【００４４】
例えば、ボタン電話装置メイン処理部１４は、ボタン電話機２０から再生指示を受け付けると、再生開始位置を設定するための設定用画面を表す設定用画面データをボタン電話機２０に提供して、その設定用画面をボタン電話機２０のＬＣＤ２０ａに表示する。このとき、ボイスメール録音部１１は、継続中の通話の音声データを保存用メモリ１３に記録する動作を継続してもよい。
【００４５】
図３は、設定用画面の一例を示した説明図である。
【００４６】
図３において、設定用画面は、ボタン電話機２０で継続中の通話の継続期間（記録時間）を表すタイムバー３ａと、再生開始位置に対応するタイムバー３ａでの位置を示す指標３ｂと、を含む。
【００４７】
タイムバー３ａは、ボタン電話機２０で継続中の通話の音声データを格納している領域が多くなるほど長くなる。また、先端部３ａ１が、その音声データの先頭に対応し、末端部３ａ２が、その音声データの末端に対応する。
【００４８】
なお、ボイスメール録音部１１が、継続中の通話の音声データを保存用メモリ１３に記録する動作を継続している場合、タイムバー３ａは、時間の経過とともに長くなっていく。
【００４９】
初期状態では、指標３ｂは、読み取り用ポインタが示す領域に対応する、タイムバー３ａでの位置を示す。
【００５０】
ボタン電話装置メイン処理部１４は、設定用画面が表示されている際に巻き戻しキー２０ｄが押下されている間（すなわち、再生開始位置を受け付けている間）、読み取り用ポインタが示す領域を巻き戻し方向に更新し、その更新に合わせて指標３ｂを先端部３ａ１側に移動し、また、設定用画面が表示されている際に早送りキー２０ｅが押下されている間（すなわち、再生開始位置を受け付けている間）、読み取り用ポインタが示す領域を早送り方向に更新し、その更新に合わせて指標３ｂを末端部３ａ２側に移動する。
【００５１】
ボタン電話装置メイン処理部１４は、ボタン電話機２０の制御部２０ｆから、巻き戻しキー２０ｄまたは早送りキー２０ｅの押下の終了を受け付けると、そのときの読み取り用ポインタが示す領域（再生開始位置）に記録されている分割された音声データ以降に記録された音声データを保存用メモリ１３から読み出す処理を、ボイス再生部１２に実行させる。
【００５２】
ボタン電話装置メイン処理部１４は、ボイス再生部１２にて読み取られた音声データをボタン電話機２０に提供し、その音声データが表す通話内容を、ボタン電話機２０のハンドセット２０ｇから出力させる。
【００５３】
次に、動作を説明する。
【００５４】
図４は、電話システムの動作を説明するためのフローチャートである。以下、図４を参照して電話システムの動作を説明する。
【００５５】
以下では、図５に示すように、ボタン電話機２０および２１と、携帯電話３０とが、会議通話を行っているものとし、ボイスメール録音部１１が、その継続中の通話内容の音声データを保存用メモリ１３に保存しているものとする。なお、図５において、図１に示したものと同一のものには同一符号を付してある。
【００５６】
なお、ボイスメール録音部１１は、ボタン電話機２０での通話が開始されると、自動的に、その通話内容の音声データを保存用メモリ１３に保存していってもよいし、ボタン電話機２０から録音指示を受け付けたときに、その通話内容の音声データを保存用メモリ１３に保存していってもよい。
【００５７】
会議通話中に、ボタン電話機２０の制御部２０ｆは、巻き戻しキー２０ｄの押下を受け付けると、そのキー操作を示す信号（再生指示）を、ボタン電話装置メイン処理部１４に提供する（ステップ４ａ）。
【００５８】
なお、制御部２０ｆは、再生キー２０ｃの押下を受け付けたときにも、そのキー操作を示す信号（再生指示）を、ボタン電話装置メイン処理部１４に提供する。
【００５９】
ボタン電話装置メイン処理部１４は、ボタン電話機２０からのキー操作を解析し（ステップ４ｂ）、その解析の結果、そのキー操作が再生指示であると、タイムバー３ａと指標３ｂを表す設定用画面データをボタン電話機２０に提供してＬＣＤ２０ａに表示する。具体的には、ボタン電話装置メイン処理部１４は、その設定用画面データをボタン電話機２０に提供し、ボタン電話機２０の制御部２０ｆは、その設定用画面データを受け付けると、その設定用画面にて表されたタイムバー３ａと指標３ｂをＬＣＤ２０ａに表示する（ステップ４ｃ）。
【００６０】
ボタン電話装置メイン処理部１４は、タイムバー３ａと指標３ｂが表示されている際に巻き戻しキー２０ｄが押下されている間、随時、タイムバー３ａと、指標３ｂの位置を更新する（ステップ４ａ〜４ｃ）。このとき、ボタン電話装置メイン処理部１４は、読み取り用ポインタが示す領域（再生開始位置）も、巻き戻しキー２０ｄの押下に応じて更新する。
【００６１】
なお、ボタン電話装置メイン処理部１４は、タイムバー３ａと指標３ｂが表示されている際に早送りキー２０ｅが押下されている間も、随時、タイムバー３ａと、指標３ｂの位置を更新する。このとき、ボタン電話装置メイン処理部１４は、読み取り用ポインタが示す領域（再生開始位置）も、早送りキー２０ｅの押下に応じて更新する。
【００６２】
ボタン電話装置メイン処理部１４は、ボタン電話機２０から、巻き戻しキー２０ｄの押下終了または早送りキー２０ｅの押下終了を受け付けると（ステップ４ｄ、４ｅ）、ボタン電話機２０のパスを、現在通話中のパスからボイスメールとのパスに切り替え（ステップ４ｆ）、ボイスメール再生部１２に対して、再生要求を通知する（ステップ４ｇ）。
【００６３】
ボイスメール再生部１２は、そのときの読み取り用ポインタが示す領域（再生開始位置）に記録されている分割された音声データ以降に記録された分割された音声データを保存用メモリ１３から読み出し、その音声データをボタン電話装置メイン処理部１４に提供する。ボタン電話装置メイン処理部１４は、ボイス再生部１２にて読み取られた音声データをボタン電話機２０に提供し、その音声データが表す通話内容を、ボタン電話機２０のハンドセット２０ｇから出力させる（ステップ４ｈ）（図６参照）。
【００６４】
本実施例によれば、以下の効果を奏する。
１．電話会議中に聞き逃した内容を、会議を中断させることなく確認することが可能。
２．画面上のタイムバーを見ながら、巻き戻し、早送りが可能なため、確認したい通話内容をスムーズに探し当てることが可能。
【００６５】
また、本実施例によれば、ボタン電話機２０で継続中の通話の内容を表す音声データの再生開始位置が、ボタン電話機２０にて受け付けられると、その再生開始位置以降の音声データが、ボタン電話装置１０からボタン電話機２０に提供され、ボタン電話機２０は、その音声データが表す通話内容を出力する。
【００６６】
このため、ユーザは、通話中に再生開始位置をボタン電話機２０に入力すれば、その再生開始位置以降の通話内容を確認することが可能になる。よって、ユーザは、通話中に聞き逃した内容（通話した内容の一部）を、通話を切断することなく、通話中にすぐに確認することが可能になる。
【００６７】
なお、本実施例では、ボタン電話機２０は、再生指示をボタン電話装置１０に提供し、ボタン電話装置１０のボタン電話装置メイン処理部１４は、再生指示を受け付けると、再生開始位置を設定するための設定用画面を、ボタン電話機２０のＬＣＤ２０ａに表示し、巻き戻しキー２０ｄまたは早送りキー２０ｅは、その設定用画面を用いて設定された再生開始位置を受け付ける。
【００６８】
この場合、再生開始位置を、設定用画面を用いて設定することが可能となる。
【００６９】
また、本実施例では、設定用画面は、タイムバー３ａと指標３ｂとを含み、巻き戻しキー２０ｄまたは早送りキー２０ｅは、指標３ｂの位置を移動させる移動指示（指標３ｂが表示されているときの押下）をさらに受け付け、その移動指示にて移動された指標３ｂが示すタイムバー３ａでの位置を、再生開始位置として受け付ける。
【００７０】
この場合、ユーザは、タイムバー３ａに対して指標３ｂを動かすことで、再生開始位置を設定できるため、確認したい通話内容をスムーズに探し当てることが可能になる。
【００７１】
また、ボタン電話装置メイン処理部１４は、ボタン電話機２０で継続中の通話の内容を表す音声データをハンドセット２０ｇに提供し、また、ボイスメール再生部１２が保存用メモリ１３から音声データを読み出すと、ボタン電話機２０で継続中の通話の内容を表す音声データに替えて、ボイスメール再生部１２にて読み取られた音声データを、ハンドセット２０ｇに提供する。
【００７２】
この場合、継続中の通話の内容に替えて、確認したい通話内容が出力されるため、ユーザは、確認したい通話内容を聞き取りやすくなる。
【００７３】
なお、本実施例は、以下のように変形されてもよい。
【００７４】
ボタン電話装置メイン処理部１４は、現在通話中の音声を、ハンドセット２０ｇから出力させ、録音内容の再生（保存用メモリ１３から読み出した音声データの再生）をスピーカ２０ｈから出力させてもよい。
【００７５】
この場合、通話中の音声と、録音内容の再生を各々他デバイス(スピーカとハンドセットなど)から行なうことにより、通話を中断することなく録音内容の確認を行なうことが可能となる。
【００７６】
以上説明した実施例において、図示した構成は単なる一例であって、本発明はその構成に限定されるものではない。
（発明の利用が考えられる分野）
本実施例は、通話録音機能を有したボタン電話装置に適用可能である。
【図面の簡単な説明】
【００７７】
【図１】本発明の一実施例の電話システムを示したブロック図である。
【図２】ボタン電話機２０の一例を示したブロック図である。
【図３】設定用画面の一例を示した説明図である。
【図４】電話システムの動作を説明するためのフローチャートである。
【図５】本発明の一実施例の電話システムの動作を説明するためのブロック図である。
【図６】本発明の一実施例の電話システムの動作を説明するためのブロック図である。
【符号の説明】
【００７８】
１０      ボタン電話装置
１１      ボイスメール録音部
１２      ボイスメール再生部
１３      保存用メモリ
１４      ボタン電話装置メイン処理部
２０      ボタン電話機
２０ａ    ＬＣＤ
２０ｂ    録音キー
２０ｃ    再生キー
２０ｄ    巻き戻しキー
２０ｅ    早送りキー
２０ｆ    制御部
２０ｇ    ハンドセット
２０ｈ    スピーカ
【図１】
2008011362.tif 000003
【図２】
2008011362.tif 000004
【図３】
2008011362.tif 000005
【図４】
2008011362.tif 000006
【図５】
2008011362.tif 000007
【図６】
2008011362.tif 000008